(57)【要約】【課題】動画像を再生しつつ、動画像のジャンプ先の表示内容を確認することを可能にしながら、フレーム間における表示内容が大きく変化すると、ユーザが動画像のジャンプ先の表示内容を把握することが困難になるという問題を解決することが可能な動画再生装置を提供する。【解決手段】再生制御部１０３は、メモリ１０１に記録された再生データから、動画像の１フレームである静止画像を示すフレーム信号を抽出する。出力制御部１０４は、メモリ１０１に記録された再生データに基づいて動画像を表示部１０５に再生しつつ、再生制御部１０３にて抽出されたフレーム信号が示す静止画像を表示部１０５に表示する。【選択図】図１
2011182224.tif 000002
【特許請求の範囲】
【請求項１】
映像信号に基づいて動画像を表示デバイスに再生する動画再生装置であって、
前記映像信号から、前記動画像の１フレームである静止画像を示すフレーム信号を抽出する再生制御部と、
前記映像信号に基づいて前記動画像を前記表示デバイスに表示しつつ、前記再生制御部にて抽出されたフレーム信号が示す静止画像を前記表示デバイスに表示する出力制御部と、を有する動画再生装置。
【請求項２】
請求項１に記載の動画再生装置において、
前記再生制御部は、複数の前記フレーム信号を、各フレーム信号が示す各静止画像の前記映像信号における再生位置がそれぞれ異なるように抽出する、動画再生装置。
【請求項３】
請求項２に記載の動画再生装置において、
前記出力制御部は、前記再生制御部にて抽出された各フレーム信号が示す各静止画像を一緒に表示する、動画再生装置。
【請求項４】
請求項１ないし３のいずれか１項に記載の動画再生装置において、
前記表示デバイスは、複数あり、
前記出力制御部は、前記動画像を前記複数の表示デバイスのいずれかに再生しつつ、前記静止画像を前記動画像が再生された表示デバイスとは別の表示デバイスに表示する、動画再生装置。
【請求項５】
請求項１ないし４のいずれか１項に記載の動画再生装置において、
ユーザにて操作される操作部をさらに有し、
前記出力制御部は、前記操作部に対して前記表示デバイスに表示された静止画像を指定する操作が行われた場合、当該指定された静止画像の前記映像信号における再生位置から、前記動画像を再生する、動画再生装置。
【請求項６】
請求項５に記載の動画再生装置において、
前記表示デバイスをさらに有し、
前記操作部は、前記表示デバイスに備わったタッチパネルであり、
前記静止画像を指定する操作は、当該静止画像が表示された前記表示デバイスの表示領域に対応する、前記タッチパネルの領域へのタッチ操作である、動画再生装置。
【請求項７】
映像信号に基づいて動画像を表示デバイスに再生する動画再生装置であって、
前記映像信号から、前記動画像の１フレームである静止画像を示すフレーム信号を抽出し、
前記映像信号に基づいて前記動画像を前記表示デバイスに表示しつつ、前記抽出されたフレーム信号が示す静止画像を前記表示デバイスに表示する、動画再生方法。
【発明の詳細な説明】
【技術分野】
【０００１】
本発明は、映像信号に基づいて動画像を表示デバイスに再生する動画再生装置および動画再生方法に関する。
【背景技術】
【０００２】
従来、動画再生装置では、動画像の再生時において、ユーザが動画像の再生位置を指定することで、動画像の再生位置をその指定された位置にジャンプさせることが可能な機能が望まれている。
【０００３】
動画像の再生位置を指定する方法としては、ユーザが、動画像の再生を中断させるとともに、動画像を早送りまたは巻き戻しさせながら表示させ、その動画像の表示内容を確認しながら、動画像の再生位置を指定する方法がある。この方法では、ユーザは、動画像のジャンプ先の表示内容を確認して、動画像の再生位置を指定することができるが、動画像の再生を中断しなければならず、動画像を再生しつつ、動画像の再生位置を指定することができない。
【０００４】
また、動画像の再生位置を指定する別の方法としては、ユーザが映像信号のタイムスタンプを用いて、例えば、動画像の先頭から１０分後などの任意の位置に、動画像の再生位置を指定する方法がある。この方法では、ユーザは、動画像を再生しつつ、動画像の再生位置を指定することはできるが、動画像のジャンプ先の表示内容を確認して、動画像の再生位置を指定することができない。
【０００５】
これらの方法に対して、特許文献１に記載には、動画像を再生しつつ、かつ、動画像のジャンプ先の表示内容を確認して、動画像の再生位置を指定することが可能な画像表示方法が記載されている。
【０００６】
特許文献１の画像表示方法では、２次元の動画像の各フレームにおいて、垂直方向の１次元的な画像がサンプリングされる。また、フレームごとに、１次元的な画像がサンプリングされる水平方向の位置が順次移動される。そして、各フレームにおいてサンプリングされた画像が合成されて静止画像が生成され、その静止画像と動画像とが同時に表示される。
【０００７】
上記の静止画像は、動画像の各フレームの一部を含むので、動画像の各再生位置の表示内容を反映した画像となる。したがって、ユーザは静止画像を確認することで、動画像のジャンプ先の表示内容を確認することができる。また、静止画像と動画像とが同時に表示されるので、動画像の再生を行いつつ、動画像の再生位置を指定することができる。
【先行技術文献】
【特許文献】
【０００８】
【特許文献１】特開平５‐２８９６５０号公報
【発明の概要】
【発明が解決しようとする課題】
【０００９】
特許文献１の画像表示方法では、各フレームの垂直方向の１次元的な画像が合成されて静止画像が生成されているので、フレーム間の表示内容が大きく変化すると、静止画像が大きく乱れ、ユーザが動画像のジャンプ先の表示内容を把握することが困難になるという問題がある。
【００１０】
本発明の目的は、動画像を再生しつつ、動画像のジャンプ先の表示内容を確認することを可能にしながら、フレーム間における表示内容が大きく変化すると、ユーザが動画像のジャンプ先の表示内容を把握することが困難になるという問題を解決することが可能な動画再生装置および動画再生方法を提供することである。
【課題を解決するための手段】
【００１１】
本発明による動画再生装置は、映像信号に基づいて動画像を表示デバイスに再生する動画再生装置であって、前記映像信号から、前記動画像の１フレームである静止画像を示すフレーム信号を抽出する再生制御部と、前記映像信号に基づいて前記動画像を前記表示デバイスに表示しつつ、前記再生制御部にて抽出されたフレーム信号が示す静止画像を前記表示デバイスに表示する出力制御部と、を有する。
【００１２】
また、本発明による動画再生方法は、映像信号に基づいて動画像を表示デバイスに再生する動画再生装置であって、前記映像信号から、前記動画像の１フレームである静止画像を示すフレーム信号を抽出し、前記映像信号に基づいて前記動画像を前記表示デバイスに表示しつつ、前記抽出されたフレーム信号が示す静止画像を前記表示デバイスに表示する。
【発明の効果】
【００１３】
本発明によれば、動画像を再生しつつ、動画像のジャンプ先の表示内容を確認することを可能にしたまま、フレーム間における表示内容が大きく変化しても、ユーザが動画像のジャンプ先の表示内容を把握することが可能になる。
【図面の簡単な説明】
【００１４】
【図１】本発明の第一の実施形態の動画再生装置の構成を示したブロック図である。
【図２】動画像および静止画像の表示例を示した図である。
【図３】動画再生装置が動画像を表示する動作の一例を説明するためのフローチャートである。
【図４】動画再生装置が静止画像を表示する動作の一例を説明するためのフローチャートである。
【発明を実施するための形態】
【００１５】
以下、本発明の実施形態について図面を参照して説明する。
【００１６】
図１は、本発明の第一の実施形態の動画再生装置の構成を示したブロック図である。図１において、動画再生装置は、メモリ１０１と、入力部１０２と、再生制御部１０３と、出力制御部１０４と、表示部１０５と、音声出力部１０６とを有する。
【００１７】
メモリ１０１は、映像信号である再生データが記録される記録媒体である。再生データでは、音声を示す音声情報がエンコードされた音声ストリームと、動画像を示す動画像情報がエンコードされた動画像ストリームとが多重化されている。なお、音声ストリームおよび動画像ストリームのエンコード方式は特に限定されない。
【００１８】
入力部１０２は、例えば、タッチパネルなどの入力デバイスである。入力部１０２は、動画再生装置のユーザから、再生データを再生する旨の再生開始指示と、再生データの再生位置を変更する旨の再生位置変更指示と、再生データの再生を終了する旨の終了指示とを受け付ける。
【００１９】
再生開始指示には、再生データの再生開始位置を指定する位置情報が含まれてもよい。また、再生位置変更指示には、位置情報が含まれる。
【００２０】
入力部１０２が再生開始指示を受け付けると、再生制御部１０３は、メモリ１０１に記録された再生データを出力制御部１０４に入力する。このとき、再生制御部１０３は、再生開始指示に位置情報が含まれていない場合、再生データを先頭から出力制御部１０４に入力し、再生開始指示に位置情報が含まれている場合、その位置情報が示す再生開始位置から再生データを出力制御部１０４に入力する。
【００２１】
また、入力部１０２が再生位置変更指示を受け付けると、再生制御部１０３は、再生位置変更指示に含まれる位置情報が示す再生変更位置から、メモリ１０１に記録された再生データを出力制御部１０４に入力する。
【００２２】
さらに、入力部１０２が終了指示を受け付けると、再生制御部１０３は、メモリ１０１に記録されている再生データの出力制御部１０４への入力を停止して、動画像の再生を終了する。
【００２３】
また、入力部１０２が再生開始指示または再生位置変更指示を受け付けると、再生制御部１０３は、メモリ１０１に記録された再生データから、動画像の１フレームである静止画像を示す動画ストリームを含む映像信号を抽出する。以下では、この静止画像を示す動画ストリームをフレーム信号と称し、この抽出された映像信号を抽出データと称する。
【００２４】
ここで、再生制御部１０３は、複数のフレーム信号のそれぞれを含む複数の抽出データを抽出することが望ましい。この場合、再生制御部１０３は、複数のフレーム信号を、各フレーム信号が示す各静止画像の、再生データにおける再生位置がそれぞれ異なるように抽出する。
【００２５】
例えば、再生制御部１０３は、先頭または位置情報が示す再生開始位置を起点とし、予め定められた抽出間隔ごとに再生データから抽出データを抽出することで、複数の抽出データを抽出する。本実施形態では、抽出間隔は、数分程度を想定しているが、この値に限らず適宜変更可能である。なお、抽出間隔は、ユーザにて設定可能でもよい。
【００２６】
出力制御部１０４は、再生制御部１０３にて入力された再生データに基づいて音声を音声出力部１０６から再生する。なお、音声出力部１０６は、スピーカーやヘッドホンなどの音声出力デバイスである。
【００２７】
出力制御部１０４は、再生制御部１０３にて入力された再生データに基づいて動画像を表示部１０５に再生することで、メモリ１０１に記録されている再生データに基づいて動画像を表示部１０５に再生する。
【００２８】
より具体的には、表示部１０５が二つの表示デバイス１０５Ａおよび１０５Ｂを有し、出力制御部１０４は、動画像を表示デバイス１０５Ａおよび１０５Ｂのいずれかに再生する。以下では、出力制御部１０４は、動画像を表示デバイス１０５Ａに表示するものとする。
【００２９】
また、出力制御部１０４は、上記の動画像の再生を行いつつ、再生制御部１０３にて抽出された抽出データ内のフレーム信号が示す静止画像を表示部１０５に表示する。このとき、出力制御部１０４は、静止画像を、動画像が再生された表示デバイス１０５Ａとは別の表示デバイス１０５Ｂに表示する。
【００３０】
なお、再生制御部１０３が複数の抽出データを抽出した場合、出力制御部１０４は、各抽出データ内のフレーム信号のそれぞれが示す複数の静止画像を一緒に表示するものとする。
【００３１】
図２は、動画像および静止画像の表示例を示した図である。図２では、表示デバイス１０５Ａの表示領域である画面Ａに、動画像が再生され、表示デバイス１０５Ｂの表示領域である画面Ｂに、静止画像１〜１２が一緒に表示されている。
【００３２】
なお、表示デバイスは、図１および図２では２つあったが、実際には、３つ以上でもよし、１つだけでもよい。また、表示デバイスが３つ以上ある場合、出力制御部１０４は、複数の表示デバイスに静止画像を表示してもよいし、複数の表示デバイスに動画像を表示しても良い。また、表示デバイスは、例えば、ＬＣＤ（Liquid Crystal Display）などである。
【００３３】
次に、出力制御部１０４の具体的な構成例について説明する。図１で示されたように、出力制御部１０４は、入力バッファ１１１および１２１と、ストリーム分離部１１２および１２２と、動画デコード部１１３および１２３と、表示制御部１１４および１２４と、音声デコード部１１５とを含む。
【００３４】
入力バッファ１１１は、出力制御部１０４に入力された再生データを格納する。
【００３５】
ストリーム分離部１１２は、入力バッファ１１１に格納された再生データを、音声ストリームと動画ストリームとに分離する。
【００３６】
動画デコード部１１３は、ストリーム分離部１１２にて分離された動画ストリームをデコードして、動画像情報を生成する。
【００３７】
表示制御部１１４は、動画デコード部１１３にて生成された動画像情報が示す動画像を表示デバイス１０５Ａに再生する。このとき、表示制御部１１４は、必要に応じて、動画像情報に対して、拡大処理や縮小処理などの画像処理である表示制御処理を施し、その表示制御処理を施した動画像情報が示す動画像を表示してもよい。
【００３８】
音声デコード部１１５は、ストリーム分離部１１２にて分離された音声ストリームをデコードして音声情報を生成し、その生成した音声情報が示す音声を音声出力部１０６から出力する。
【００３９】
入力バッファ１２１は、再生制御部１０３にて抽出された抽出データを格納する。
【００４０】
ストリーム分離部１２２は、入力バッファ１２１に格納された抽出データからフレーム信号を抽出する。
【００４１】
動画デコード部１２３は、ストリーム分離部１２２にて抽出されたフレーム信号をデコードして、静止画像を示す静止画像情報を生成する。
【００４２】
表示制御部１２４は、動画デコード部１２３にて生成された静止画像情報が示す静止画像を表示デバイス１０５Ｂに表示する。
【００４３】
次に本実施形態の動画再生装置の動作について説明する。
【００４４】
先ず、動画再生装置が動画像を表示する動作を説明する。図３は、本動作の一例を説明するためのフローチャートである。
【００４５】
ステップ３０１では、再生制御部１０３は、入力部１０２が再生開始指示を受け付けたか否かを確認する。入力部１０２が再生開始指示を受け付けると、再生制御部１０３は、メモリ１０１に記録された再生データのうち、入力バッファ１１１にて格納可能なデータ量の再生データを入力バッファ１１１に入力する。
【００４６】
このとき、再生開始指示に位置情報が含まれていない場合、再生制御部１０３は、再生データを先頭から入力バッファ１１１に入力する。一方、再生開始指示に位置情報が含まれる場合、再生制御部１０３は、位置情報が示す再生開始位置から再生データを入力バッファ１１１に入力する。
【００４７】
入力バッファ１１１に再生データが入力されると、ステップ３０２が実行される。
【００４８】
ステップ３０２では、入力バッファ１１１は、入力された再生データを格納し、その格納した再生データをストリーム分離部１１２に出力する。ストリーム分離部１１２は、再生データを受け付けると、ステップ３０３を実行する。
【００４９】
ステップ３０３では、ストリーム分離部１１２は、再生データを、音声ストリームと動画ストリームとに分離し、その動画ストリームを動画デコード部１１３に出力するとともに、その音声ストリームを音声デコード部１１５に出力する。その後、ステップ３０４が実行される。
【００５０】
ステップ３０４では、動画デコード部１１３は、動画ストリームを受け付け、その動画ストリームをデコードして動画像情報を生成する。動画デコード部１１３は、動画像情報を表示制御部１１４に出力する。表示制御部１１４は、動画像情報を受け付けると、ステップ３０５を実行する。
【００５１】
ステップ３０５では、表示制御部１１４は、動画像情報に対して表示制御処理を施す。その後、ステップ３０６が実行される。
【００５２】
ステップ３０６では、表示制御部１１４は、表示制御処理を施した動画像情報に基づいて動画像を表示デバイス１０５Ａに表示する。また、音声デコード部１１５は、音声ストリームを受け付け、その音声ストリームをデコードして音声情報を生成する。音声デコード部１１５は、音声情報に基づいて音声を音声出力部１０６から出力する。
【００５３】
また、ステップ３０２において、再生制御部１０３は、再生データを入力バッファ１１１に入力すると、ステップ３０７を実行する。
【００５４】
ステップ３０７では、再生制御部１０３は、入力部１０２が再生位置変更指示を受け付けたか否かを確認する。
【００５５】
入力部１０２が再生位置変更指示を受け付けると、再生制御部１０３は、入力バッファ１１１に格納された再生データが全てストリーム分離部１１２に出力されるまで待機し、その後、メモリ１０１に記録された再生データを、再生位置変更指示に含まれる位置情報が示す再生変更位置から入力バッファ１１１に入力する。その後、ステップ３０２が実行される。
【００５６】
一方、入力部１０２が再生位置変更指示を受け付けていないと、再生制御部１０３は、ステップ３０８を実行する。
【００５７】
ステップ３０８では、再生制御部１０３は、動画像の再生を終了するタイミングか否かを判断する。
【００５８】
例えば、再生制御部１０３は、入力部１０２が終了指示を受け付けたか否かを確認する。入力部１０２が終了指示を受け付けると、再生制御部１０３は、動画像の再生を終了するタイミングと判断する。一方、入力部１０２が終了指示を受け付けていないと、再生制御部１０３は、メモリ１０１に記録されている再生データの末尾まで入力バッファ１１１に入力したか否かを確認する。再生制御部１０３は、再生データの末尾まで入力バッファ１１１に入力すると、動画像の再生を終了するタイミングと判断し、再生データの末尾まで入力バッファ１１１に入力していないと、動画像の再生を終了するタイミングでないと判断する。
【００５９】
動画像の再生を終了するタイミングでないと判断すると、再生制御部１０３は、入力バッファ１１１に格納された再生データが全てストリーム分離部１１２に出力されるまで待機し、その後、次の再生データを入力バッファ１１１に入力する。その後、ステップ３０２が実行される。
【００６０】
一方、動画像の再生を終了するタイミングであると判断すると、再生制御部１０３は、ステップ３０９を実行する。
【００６１】
ステップ３０９では、再生制御部１０３は、入力バッファ１１１への再生データの入力を終了して、動画像の再生を終了する。
【００６２】
次に、動画再生装置が静止画像を表示する動作を説明する。図４は、本動作の一例を説明するためのフローチャートである。
【００６３】
ステップ３１０では、再生制御部１０３は、入力部１０２が再生開始指示または再生位置変更指示を受け付けたか否かを確認する。再生制御部１０３は、入力部１０２が再生開始指示を受け付けると、図３のステップ３０１において入力バッファ１１１に入力した再生データの再生位置と予め定められた抽出間隔とに応じた再生位置の抽出データを、メモリ１０１に記録された再生データから抽出する。再生制御部１０３は、その抽出データを入力バッファ１２１に入力する。その後、ステップ３１１が実行される。
【００６４】
ステップ３１１では、入力バッファ１２１は、その入力された抽出データを格納し、その格納された抽出データをストリーム分離部１２２に出力する。ストリーム分離部１２２は、抽出データを受け付けると、ステップ３１２を実行する。
【００６５】
ステップ３１２では、ストリーム分離部１２２は、抽出データを音声ストリームと動画ストリームとに分離することで、抽出データからその動画ストリームをフレーム信号として抽出する。ストリーム分離部１２２は、フレーム信号を動画デコード部１２３に出力する。動画デコード部１２３は、フレーム信号を受け付けると、ステップ３１３を実行する。
【００６６】
ステップ３１３では、動画デコード部１２３は、フレーム信号をデコードして静止画像情報を生成して表示制御部１２４に出力する。表示制御部１２４は、静止画像情報を受け付けると、ステップ３１４を実行する。
【００６７】
ステップ３１４では、表示制御部１２４は、静止画像情報に対して表示制御処理を施す。その後、ステップ３１５が実行される。
【００６８】
ステップ３１５では、表示制御部１２４は、表示制御処理を施した静止画像情報が示す静止画像を表示デバイス１０５Ｂに表示する。
【００６９】
また、ステップ３１１において、再生制御部１０３は、抽出データを入力バッファ１２１に入力すると、ステップ３１６を実行する。
【００７０】
ステップ３１６では、再生制御部１０３は、入力バッファ１２１に入力した抽出データの数を、表示デバイス１０５Ｂに表示された静止画像の数である表示画像枚数とみなす。再生制御部１０３は、表示画像枚数が、表示デバイス１０５Ｂにて一度に表示可能な数である表示可能画像枚数に到達したか否かを判断する。なお、表示可能画像枚数は、予め定められていてもよいし、再生制御部１０３が、表示制御部１２４にて施される静止画像情報に対する拡大処理または縮小処理による拡大率または縮小率に応じて決定してもよい。      
【００７１】
表示画像枚数が表示可能画像枚数に到達していない場合、再生制御部１０３は、直前に入力バッファ１２１に入力した抽出データの再生位置と抽出間隔とに応じた再生位置の抽出データを、メモリ１０１に記録された再生データから抽出する。再生制御部１０３は、その抽出データを入力バッファ１２１に入力する。その後、ステップ３１１が実行される。
【００７２】
一方、表示画像枚数が表示可能画像枚数に到達した場合、再生制御部１０３は、ステップ３１７を実行する。
【００７３】
ステップ３１７では、再生制御部１０３は、抽出データの抽出を停止して、新しい静止画像の表示を停止する。
【００７４】
これにより、例えば、図２における、静止画像１から静止画像１２までが順番に画面Ｂに表示され、静止画像１２が表示されると、新しい静止画像の表示が停止される。
【００７５】
なお、上記の動作例では、フレーム信号を含む抽出データが１つずつ入力バッファ１１１に入力されて、静止画像が１枚ずつ表示されていたが、入力バッファ１１１に格納可能なデータ量が十分に確保できれば、複数の抽出データがまとめて入力バッファ１１１に入力され、静止画像が複数枚まとめて表示されてもよい。
【００７６】
また、動画像の再生が進んだ場合、静止画像の更新が行われてもよい。静止画像の更新は、定期的に行われてもよいし、ユーザが静止画像の更新する旨の画像更新指示を入力部１０２に入力したタイミングで行われてもよい。
【００７７】
以上説明したように、本実施形態によれば、再生制御部１０３は、メモリ１０１に記録された再生データから、動画像の１フレームである静止画像を示すフレーム信号を抽出する。出力制御部１０４は、メモリ１０１に記録された再生データに基づいて動画像を表示部１０５に再生しつつ、再生制御部１０３にて抽出されたフレーム信号が示す静止画像を表示部１０５に表示する。
【００７８】
この場合、動画像が再生されつつ、動画像の１フレームである静止画像が表示される。このため、動画像を再生しつつ、動画像のジャンプ先の表示内容を確認することが可能になる。また、フレーム間の表示内容が大きく変化しても、静止画像が大きく乱れることがないので、ユーザが動画像のジャンプ先の表示内容を把握することが可能になる。なお、予め静止画像を用意しておく必要がないため、任意の再生データに対して上記の効果を奏することが可能になる。
【００７９】
また、本実施形態では、再生制御部１０３は、複数のフレーム信号を、各フレーム信号が示す各静止画像の再生データにおける再生位置がそれぞれ異なるように抽出する。
【００８０】
この場合、ユーザが確認することが可能なシーンを複数にすることが可能になり、ユーザの利便性を向上させることが可能になる。
【００８１】
また、本実施形態では、出力制御部１０４は、再生制御部１０３にて抽出された各フレーム信号が示す各静止画像を一緒に表示する。
【００８２】
この場合、ユーザが同時に動画像における複数の再生位置の表示内容を確認することが可能になり、ユーザの利便性を向上させることが可能になる。
【００８３】
また、本実施形態では、表示部１０５は、表示デバイス１０５Ａおよび１０５Ｂを含む。出力制御部１０４は、動画像を表示デバイス１０５Ａおよび１０５Ｂのいずれかに再生しつつ、静止画像を動画像が表示された表示デバイスとは別の表示デバイスに表示する。
【００８４】
この場合、動画像および静止画像を一緒に表示するために、表示デバイスの表示領域を動画像用の領域と静止画像用の領域とに分割する必要がなくなるので、表示デバイスの表示領域を最大限に活用することが可能になる。したがって、ユーザの利便性を向上させることが可能になる。
【００８５】
次に第二の実施形態を説明する。
【００８６】
本実施形態では、入力部１０２に対して、表示部１０５に表示された静止画像を指定する指定操作が行われると、再生制御部１０３は、指定操作にて指定された静止画像の、再生データにおける再生位置を示す位置情報を含む再生位置変更指示が入力されたと判断する。
【００８７】
これにより、出力制御部１０４は、入力部１０２に対して指定操作が行われると、その指定操作にて指定された静止画像の、再生データにおける再生位置から動画像を再生することになる。なお、本実施形態では、入力部１０２を操作部の一例として用いている。
【００８８】
また、入力部１０２は、表示部１０５に備わったタッチパネルであるとし、静止画像を指定する指定操作は、その静止画像が表示された表示部１０５の表示領域に対応する、タッチパネルの領域へのタッチ操作であるとする。ここで、タッチ操作は、タッチパネルに接触する操作であればよく、シングルクリック操作やダブルクリック操作なども含む。
【００８９】
本実施形態によれば、簡単な操作で所望のシーンの再生を行うことが可能になる。
【００９０】
以上説明した各実施形態において、図示した構成は単なる一例であって、本発明はその構成に限定されるものではない。
【００９１】
例えば、再生制御部１０３が複数の抽出データを抽出した場合、出力制御部１０４は、各抽出データ内のフレーム信号のそれぞれが示す複数の静止画像を順番に表示してもよいし、その複数の静止画像をスクロール表示してもよい。
【００９２】
また、入力部１０２がユーザから静止画像を表示する旨の表示指示を受け付ける場合に、再生制御部１０３が抽出データの抽出を開始して、静止画像の表示を開始してもよい。また、静止画像の再生データにおける再生位置はユーザにて指定されてもよい。さらに、動画像を再生する表示デバイスと、表示画像を表示する表示デバイスとが変更可能であってもよい。
【００９３】
また、メモリ１０１、入力部１０２、表示部１０５および音声出力部１０６は、動画再生装置とは別体になっていてもよい。また、動画再生装置は、携帯電話やＰＤＡ（Personal Digital Assistant）などの端末装置に組み込まれてもよい。さらに、指定操作を行う操作部と、再生開始指示などを受け付ける入力部とが別々に設けられてもよい。
【符号の説明】
【００９４】
１０１    メモリ
１０２    入力部
１０３    再生制御部
１０４    出力制御部
１０５    表示部
１０５Ａ、１０５Ｂ    表示デバイス
１０６    音声入力部
１１１、１２１    入力バッファ
１１２、１２２    ストリーム分離部
１１３、１２３    動画デコード部
１１４、１２４    表示制御部
１１５    音声デコード部
【図１】
2011182224.tif 000003
【図２】
2011182224.tif 000004
【図３】
2011182224.tif 000005
【図４】
2011182224.tif 000006